(57)【要約】  レンズを光軸方向に高速に移動させる。  レンズ鏡筒は、第１電磁駆動部４０ｂと、第１レンズ４ｂを保持し、第１電磁駆動部４０ｂによって光軸方向に移動する第１レンズ保持枠４１ｂと、第２電磁駆動部と、第２レンズ４ａを保持し、第２電磁駆動部４０ａによって光軸方向に移動する第２レンズ保持枠４１ａと、を備え、第１レンズ保持枠４１ｂは、第２レンズ保持枠４１ａの内周側に配置される。
2018012531.tif 000002
【特許請求の範囲】
【請求項１】
第１電磁駆動部と、
第１レンズを保持し、前記第１電磁駆動部によって光軸方向に移動する第１レンズ保持枠と、
第２電磁駆動部と、
第２レンズを保持し、前記第２電磁駆動部によって光軸方向に移動する第２レンズ保持枠と、を備え、
前記第１レンズ保持枠は、前記第２レンズ保持枠の内周側に配置されるレンズ鏡筒。
【請求項２】
前記第１レンズ保持枠と前記第２レンズ保持枠との位置関係を検出する第１検出部を備える
請求項１に記載のレンズ鏡筒。
【請求項３】
前記第１検出部は、被検出部を含み、
前記被検出部は、前記第２レンズ保持枠と係合する第１係合部に沿って前記第１レンズ保持枠に保持される
請求項２に記載のレンズ鏡筒。
【請求項４】
前記第１電磁駆動部又は前記第２電磁駆動部を保持する筒と、
前記第２レンズ保持枠と前記筒との位置関係を検出する第２検出部と、を備える
請求項１から請求項３の何れか一項に記載のレンズ鏡筒。
【請求項５】
前記第１レンズ保持枠に挿入されるガイドバーを備える
請求項１に記載のレンズ鏡筒。
【請求項６】
前記第１レンズ保持枠は、前記第２レンズ保持枠と係合する第１係合部と前記ガイドバーが挿入される第１穴部とを有し、
前記第１係合部の光軸方向の長さは、前記第１穴部の光軸方向の長さより長い
請求項５に記載のレンズ鏡筒。
【請求項７】
前記第１電磁駆動部又は前記第２電磁駆動部を保持する筒を備え、
前記第２レンズ保持枠は、前記筒と係合する第２係合部を有する
請求項５又は請求項６に記載のレンズ鏡筒。
【請求項８】
前記第２レンズ保持枠に挿入されるガイドバーを備え、
前記第２レンズ保持枠は、前記ガイドバーが挿入される第２穴部を有し、
前記第２係合部の光軸方向の長さは、前記第２穴部の光軸方向の長さより長い
請求項７に記載のレンズ鏡筒。
【請求項９】
請求項１から請求項８の何れか一項に記載のレンズ鏡筒を備える撮像装置。
【発明の詳細な説明】
【技術分野】
【０００１】
本発明は、レンズ鏡筒及びカメラに関するものである。
【背景技術】
【０００２】
従来、レンズを光軸方向に高速に移動させるために、レンズ保持部材をボイスコイルモータを用いて光軸方向に駆動させるレンズ鏡筒が提案されている（特許文献１参照）。
【先行技術文献】
【特許文献】
【０００３】
【特許文献１】特開２０１５−４９３３４号公報
【発明の概要】
【０００４】
本発明のレンズ鏡筒は、第１のレンズを保持する第１保持部と、第２のレンズを保持する第２保持部と、前記第１保持部の光軸方向位置を検出する第１位置検出部と、前記第２保持部の光軸方向位置を検出する第２位置検出部と、前記第１位置検出部により前記第１保持部の前記光軸方向の移動量が検出される第１被検出部と、前記第２位置検出部により前記第２保持部の前記光軸方向の移動量が検出される第２被検出部と、を備え、前記第２位置検出部が前記第１保持部に設けられている。
また、本発明のカメラは、上記レンズ鏡筒を備える構成とした。
【図面の簡単な説明】
【０００５】
【図１】第１実施形態のレンズ鏡筒１００と、カメラボディ１０１とを備えるカメラ１０３を示す図である。
【図２】第２フォーカスレンズ群保持枠４１ｂの斜視図である。
【図３】図１の部分拡大図である。
【図４】比較形態を示す図であり、図３に対応している。
【図５】第２実施形態を示す図であり、図３に対応している。
【発明を実施するための形態】
【０００６】
（第１実施形態）
以下、図面等を参照して、第１実施形態について説明する。図１は、第１実施形態のレンズ鏡筒１００と、カメラボディ１０１とを備えるカメラ１０３を示す図である。実施形態において、レンズ鏡筒１００は、カメラボディ１０１に対して着脱可能であるが、これに限定されず、レンズ鏡筒とカメラボディとは一体であってもよい。
【０００７】
レンズ鏡筒１００は、撮像光学系として、光軸方向被写体側から、第１レンズ群１と、第２レンズ群２と、第３レンズ群３と、第４レンズ群４と、第５レンズ群５とを備える。
第１レンズ群１は第１レンズ群保持枠１１に保持されている。第２レンズ群２は第２レンズ群保持枠２１に保持されている。第３レンズ群３は第３レンズ群保持枠３１に保持されている。第３レンズ群保持枠３１の光軸方向被写体側には絞りユニット６８が取り付けられている。第５レンズ群５は第５レンズ群保持枠５１に保持されている。第４レンズ群４については後述する。
【０００８】
レンズ鏡筒１００は、撮像光学系の光軸方向カメラボディ側の外周を覆うメイン固定部６４を備える。メイン固定部６４のさらに外周には、外装筒６６が配置されている。外装筒６６の光軸方向カメラボディ側の一部は内径側に突出している。メイン固定部６４の光軸方向カメラボディ側が、その突き出した部分に固定されている。
また、外装筒６６の突き出した部分の光軸方向カメラボディ側には、レンズマウント６１が取り付けられている。
【０００９】
メイン固定部６４の光軸方向カメラボディ側の端部の内径側には、第５レンズ群保持枠５１が取り付けられている。メイン固定部６４の光軸方向被写体側の端部の内径側には、第３レンズ群保持枠３１が取り付けられている。
【００１０】
サブ固定筒６７の外周には、カム環６５が配置されている。カム環６５の外周には、ズームリング６２が配置されている。また、ズームリング６２の光軸方向被写体側には、マニュアルフォーカスリング６３が配置されている。
【００１１】
第４レンズ群４は、２群構成のフォーカスレンズ群で、第１フォーカスレンズ群４ａと第２フォーカスレンズ群４ｂとを含む。第１フォーカスレンズ群４ａは、第１保持枠４１ａに保持されている。第２フォーカスレンズ群４ｂは、第２保持枠４１ｂに保持されている。
図２は、第２保持枠４１ｂの斜視図である。なお、図１は図２のＩ−Ｉ方向の断面図となる。図３は、図１の部分拡大図である。
第１保持枠４１ａは、その外周における光軸を挟んで対称位置に、第１保持枠４１ａを移動駆動する一対の第１ボイスコイルモータ４０ａを備える。また、第２保持枠４１ｂは、その外周における光軸を挟んだ対称位置に、第２保持枠４１ｂを移動駆動する一対の第２ボイスコイルモータ４０ｂ（４０ｂＵ，４０ｂＬ）を備える。
第１フォーカスレンズ群４ａを支持する円環部４７ａの周囲に、一対のコイル支持部４９ａと、ガイドバー４７３と係合する第１係合部（図示せず）が形成されている。
また、第１フォーカスレンズ群保持枠４１ａは、その外径側に設けられた延在部４８ａを備える。延在部４８ａは、光軸方向に延びる矩形の板状部材である。延在部４８ａにおける、長さ方向が光軸方向で幅方向が略径方向である側面には、第１直進キー（図示せず）が形成されている。メイン固定部６４には、この第１直進キーと係合する第１直進溝（図示せず）が設けられている。
延在部４８ａは、図３に示すように、円環部４７ａから光軸方向の第２保持枠４１ｂ側に延びるオーバラップ部４８５と、円環部４７ａから光軸方向被写体側に延びる第１スケール保持部４８６とを備える。
【００１２】
次に、第２保持枠４１ｂについて説明する。
図２において、第２保持枠４１ｂの外周における光軸を挟んだ対称位置には、第２保持枠４１ｂを移動駆動する一対の第２ボイスコイルモータ４０ｂ（４０ｂＵ，４０ｂＬ）が備えられている。
【００１３】
第２保持枠４１ｂは、第２フォーカスレンズ群４ｂを支持する円環部４７ｂの周囲に、第２スケール保持部４８ｂと、その第２スケール保持部４８ｂと光軸を挟んだ反対側に配置され、ガイドバー４７３と係合する第２係合部４７１ｂとを備える。また、第２保持枠４１ｂは、第２スケール保持部４８ｂと第２係合部４７１ｂと結ぶ線と直交する方向に一対のコイル支持部４９ｂを備える。
なお、第１保持枠４１ａの延在部４８ａのオーバラップ部４８５は、図３に示すように第２スケール保持部４８ｂの外径側を覆っており、延在部４８ａの第１スケール保持部４８６は、第２スケール保持部４８ｂの外径側と光軸方向位置が重複しない。
【００１４】
第２ボイスコイルモータ４０ｂ（４０Ｕ，４０Ｌ）は、光軸を挟んで一対（二組）設けられているが、同様な構成であるため、図中同じ構成要素には同符号を付してある。以下の説明では、特に必要である場合を除き、第２ボイスコイルモータ４０ｂとして説明とする。
【００１５】
第２ボイスコイルモータ４０ｂは、第２保持枠４１ｂのコイル支持部４９ｂに装着されたコイル４２ｂを備える。第２ボイスコイルモータ４０ｂＵ，４０ｂＬのコイル４２ｂは、光軸ＯＡを挟む対称位置に配設されており、連動するように結線されて電源に接続されている。
【００１６】
第２ボイスコイルモータ４０ｂはヨーク４０とマグネット４３とを備える。なお、ヨーク４０とマグネット４３とは、後述の第１ボイスコイルモータ４０ａと共通である。
ヨーク４４は、所定幅で所定厚さの鉄板を長手方向において屈曲して形成され、所定間隔で平行な一対のアーム部４４Ａ，４４Ｂを備えている。
アーム部４４Ａ，４４Ｂは、コイル４２ａ及びコイル４２ｂの移動距離（第１保持枠４１ａ及び第２保持枠４１ｂの移動距離）と対応する長さに形成されている。アーム部４４Ｂは、メイン固定部６４に固定されている。アーム部４４Ｂの内面には、マグネット４３が装着されている。
マグネット４３は、アーム部４４Ｂと略対応する矩形で所定厚さの板状に形成されており、その長さはコイル４２ｂ及びコイル４２ａの移動距離と対応している。
【００１７】
第２スケール保持部４８ｂは、光軸方向に延びる矩形の板状部材である。第２スケール保持部４８ｂにおける光軸方向に延び且つ外径側を向く外面には、パターンが刻まれた略矩形の第２スケール４６ｂが取り付けられている。
また、第２スケール保持部４８ｂにおける、外面と略直交する側面には、光軸方向に延びる第２直進キー４８１ｂが形成されている。
【００１８】
第２係合部４７１ｂは、第２スケール保持部４８ｂに対して光軸を挟んだ反対側の位置に配設されている。第２係合部４７１ｂは、光軸方向に所定厚さの板状であって、光軸方向に貫通形成されたガイド孔４７２ｂを備えている。
ガイド孔４７２ｂは、長孔であって、図中点線で示すガイドバー４７３が、長径方向においては遊嵌し、短径方向においては摺動移動可能に嵌合するように形成されている。第２係合部４７１ｂがガイドバー４７３に挿通されることによって、第２保持枠４１ｂの回転が規制される。
【００１９】
第１ボイスコイルモータ４０ａも、第２ボイスコイルモータ４０ｂと同様に、第１フォーカスレンズ群保持枠４１ａのコイル支持部４９ａに装着されたコイル４２ａを備える。第１ボイスコイルモータ４０ａのヨーク４０とマグネット４３とは、上述のように第２ボイスコイルモータ４０ｂと共通である。
【００２０】
第１ボイスコイルモータ４０ａのコイル４２ａ及び第２ボイスコイルモータ４０ｂのコイル４２ｂのそれぞれに通電されると、コイル４２ａ及びコイル４２ｂにローレンツ力が発生する。このローレンツ力は光軸方向の駆動力となり、第１保持枠４１ａ及び第２保持枠４１ｂは光軸方向に駆動される。
【００２１】
第１保持枠４１ａには、第２保持枠４１ｂの第２スケール保持部４８ｂに設けられた第２直進キー４８１ｂと係合する直進溝（図示せず）が設けられている。
【００２２】
第２保持枠４１ｂ及び第１保持枠４１ａは直進移動する。
このとき、第１保持枠４１ａ及び第２保持枠４１ｂの両方の直進移動を、例えば共通のメインガイドバーによって案内するよりも、本実施形態のように、第１保持枠４１ａによって第２保持枠４１ｂの直進案内を行う方が、第２保持枠４１ｂの第１保持枠４１ａに対する正確な位置を把握しやすい。
【００２３】
また、図２に示すように、第２直進キー４８１ｂの光軸方向の長さは、第２係合部４７１ｂの光軸方向の幅より長い。
すなわち、第２直進キー４８１ｂと第１保持枠４１ａに設けられた図示しない直進溝との嵌合長は、第２係合部４７１ｂとガイドバー４７３との嵌合長よりも長い。したがって、一方の嵌合長が長いので、フォーカスレンズを駆動したときの、よじれ等が生じない。
【００２４】
また、第１直進キーの光軸方向の長さは、第１係合部の光軸方向の幅より長い。
すなわち、第１直進キーと第１保持枠４１ａに設けられた図示しない直進溝との嵌合長は、第１係合部とガイドバー４７３との嵌合長よりも長い。したがって、一方の嵌合長が長いので、フォーカスレンズを駆動したときの、よじれ等が生じない。
【００２５】
レンズ鏡筒１００は、第１保持枠４１ａ及び第２保持枠４１ｂの位置を検出する位置検出装置７０を備える。位置検出装置７０は、絶対的位置検出装置７１と相対的位置検出装置７２とを備える。絶対的位置検出装置７１は、例えばフォトインタラプタで、例えば、メイン固定部６４の内径側と、第１保持枠４１ａの先端とに取り付けられている。
【００２６】
相対的位置検出装置７２は、例えば、光学式位置検出装置であり、発光部及び受光部を備えるセンサ部と、スケールとを備える。スケールにはパターンが刻まれており、発光部と受光部により、光学式スケールに刻まれたパターンが光学的に検出される。
なお、実施形態では光学式位置検出装置を用いるが、これに限定されず、磁気式位置検出装置であってもよい。
【００２７】
位置検出装置７２は、第１位置検出装置７２ａと、第２位置検出装置７２ｂとを備える。
第１位置検出装置７２ａは、メイン固定部６４に取り付けられた第１位置検出センサ部４５ａと、第２スケール保持部４８ｂの外径側に第１スケール４６ａとを備える。第１位置検出センサ部４５ａは、第１スケール４６ａを読取れる位置に取り付けられている。
【００２８】
第２位置検出装置７２ｂは、オーバラップ部４８５に取り付けられた第２位置検出センサ部４５ｂと、第２スケール保持部４８ｂの外径側に取り付けられた第２スケール４６ｂとを備える。第２位置検出センサ部４５ｂは、第２スケール４６ｂを読取れる位置に取り付けられている。
【００２９】
第１フォーカスレンズ群保持枠４１ａが第１ボイスコイルモータ４０ａによって光軸方向に駆動されると、第１スケール４６ａも光軸方向に移動する。そして、第１位置検出センサ部４５ａにより、第１スケール４６ａのスケールが読み取られる。第１位置検出センサ部４５ａによって検出された位置情報により、第１フォーカスレンズ群４ａのメイン固定部６４に対する位置を検出することができる。
【００３０】
第２フォーカスレンズ群保持枠４１ｂが第２ボイスコイルモータ４０ｂによって光軸方向に駆動されると、第２スケール４６ｂも光軸方向に移動する。
第２位置検出センサ部４５ｂにより、第１スケール４６ａのスケールが読み取られる。
第２位置検出センサ部４５ｂは、第１フォーカスレンズ群４ａを保持する第１保持枠４１ａに取り付けられているので、第２位置検出センサ部４５ｂによって検出された位置情報により、第２フォーカスレンズ群４ｂの、第１フォーカスレンズ群４ａに対する位置を検出することができる。
【００３１】
（効果）
（１）実施形態のように、第１フォーカスレンズ群４ａ及び第２フォーカスレンズ群４ｂといった複数のフォーカスレンズ群を駆動することによって像を合焦させる光学系においては、光学性能やＡＦ精度を向上させるために、フォーカスレンズ群同士の間隔を高精度に制御することが重要となる。
【００３２】
本実施形態のレンズ鏡筒１００は、第１フォーカスレンズ群４ａ及び第２フォーカスレンズ群４ｂをそれぞれ保持する第１保持枠４１ａ及び第２保持枠４１ｂと、第１位置検出センサ部４５ａ及び第２位置検出センサ部４５ｂと、を備える。そして第１保持枠４１ａ及び第２保持枠４１ｂに設けられ、第１位置検出センサ部４５ａ及び第２位置検出センサ部４５ｂにより移動量が検出される第１スケール部４６ａ及び第２スケール部４６ｂとを備える。ここで、第２位置検出センサ部４５ａは、第１保持枠４１ａに取り付けられている。
したがって、フォーカスレンズ群同士の間隔を直接、第２位置検出センサ部４５ｂで検出することが可能であり、間隔の検出精度が向上する。
【００３３】
（２）また、ズーミング時のフォーカスレンズ群相互の相対移動量は微少である。本実施形態によれば、第２位置検出装置７２ｂでは、ズーミング時の移動量をあまり考慮する必要はなく、短い第２スケール４６ｂを使用することが可能である。このため、コストダウンが可能となる。
【００３４】
（３）第２位置検出装置７２ｂは短い第２スケール４６ｂを使用できるので、第２位置検出センサ部４５ｂと第２スケール４６ｂの間隔変動が減少し、より高精度な位置を検出することができる。
（４）第１保持枠４１ａ及び第２保持枠４１ｂを光軸と平行に移動させるためには、直進ガイド機構が必要となる。
実施形態では、第１保持枠４１ａ及び第２保持枠４１ｂにおいて、直進ガイド機構として直進キーが設けられた部分に、位置検出装置７２の第１スケール４６ａ及び第２スケール４６ｂを取り付けている。
したがって、第１スケール４６ａ及び第２スケール４６ｂのブレが低減し、より精度の高い位置検出結果が得られる。
【００３５】
（比較形態）
図４は、実施形態に対する比較形態を示す図であり、図３に対応している。
比較形態と実施形態との相違点は、第１位置検出センサ部４５ａ’第２位置検出センサ部４５ｂ’が、ともにメイン固定部６４’に取り付けられている点である。
【００３６】
比較形態においては、第１保持枠４１ａ及び第２保持枠４１ｂの位置を各々、第１位置検出センサ部４５ａ’及び第２位置検出センサ部４５ｂ’によって検出した後、そのデータを用いて第１保持枠４１ａ及び第２保持枠４１ｂ同士の間隔を算出する必要がある。
【００３７】
すなわち、第１位置検出センサ部４５ａ’及び第２位置検出センサ部４５ｂ’から取得できるデータを合算して、第１保持枠４１ａ及び第２保持枠４１ｂ同士の間隔を算出する必要がある。このため、各センサの誤差が累積して算出結果に影響を与えることとなる。
【００３８】
これに対して実施形態では、フォーカスレンズ群同士の間隔を直接、１つセンサで検出することが可能であり、間隔検出精度が向上する。
【００３９】
また、第１フォーカスレンズ群４ａ及び第２フォーカスレンズ群４ｂがズーミング時にも駆動される光学系の場合、比較形態の構成では、すべてのフォーカス群において、ズーミングによる移動量とフォーカシングによる移動量を合計した距離を検出できるセンサが必要となる。
【００４０】
その結果、比較形態においては、位置検出センサ部は光軸方向に長くなって配置困難になる場合もあり、前後のレンズ群との間隔拡大やフォーカス時のレンズ移動量抑制等、光学設計上の制約にもつながる。
しかし、実施形態においてはこのような問題がない。
【００４１】
（第２実施形態）
図５は、第２実施形態を示す図であり、図３に対応している。第２実施形態が第１実施形態と異なる点は以下である。
第２保持枠２４１ｂの第２スケール保持部２４８ｂがスケールを保持していない。
第２スケール保持部２４８ｂは光軸方向に貫通孔２４８ｃを有している。
貫通孔２４８ｃの外径側には、第２位置検出センサ部２４５ｂが取り付けられている。
その貫通孔２４８ｃに第１フォーカスレンズ群保持枠２４１ａの第１スケール保持部２４８ａが貫通している。
第１スケール保持部２４８ａの外径側面に、スケール２４６ａが取り付けられている。スケール２４６ａは、第１位置検出センサ部２４５ａ及び第２位置検出センサ部２４５ｂの両方で読取可能な長さである。
【００４２】
すなわち、第２実施形態では、スケール２４６ａは１つで、第１位置検出センサ部２４５ａ及び第２位置検出センサ部２４５ｂの両方で共通して用いられる。
【００４３】
第２実施形態の構成にすれば、第１実施形態の効果に加え、複数のセンサに対して１つのスケールを使用することができ、より検出精度の向上が見込める。さらにコストダウンも可能である。
【００４４】
以上、説明した実施形態に限定されることなく、実施形態及び変形形態は、適宜組み合わせて用いることもできるが、詳細な説明は省略する。また、本発明は以上説明した実施形態によって限定されることはない。
【符号の説明】
【００４５】
４ａ：第１フォーカスレンズ群、４ｂ：第２フォーカスレンズ群、４０：ヨーク、４０ａ：第１ボイスコイルモータ、４０ｂ：第２ボイスコイルモータ、４１ａ：第１保持枠、４１ｂ：第２保持枠、４２ａ：コイル、４２ｂ：コイル、４３：マグネット、４４：ヨーク、４５ａ：第１位置検出センサ部、４５ｂ：第２位置検出センサ部、４６ａ：第１スケール、４６ｂ：第２スケール、４８ｂ：第２スケール保持部、７２ａ：第１位置検出装置、７２ｂ：第２位置検出装置、１００：レンズ鏡筒、２４１ａ：第１保持枠、２４１ｂ：第２保持枠、２４５ａ：第１位置検出センサ部、２４５ｂ：第２位置検出センサ部、２４６ａ：スケール、２４８ａ：第１スケール保持部、２４８ｂ：第２スケール保持部、２４８ｃ：貫通孔、４７１ｂ：ガイドバー係合部、４７２ｂ：ガイド孔、４８１ｂ：第２直進キー、４８５：オーバラップ部、４８６：第１スケール保持部、４８６：第２スケール保持部
【図１】
2018012531.tif 000003
【図２】
2018012531.tif 000004
【図３】
2018012531.tif 000005
【図４】
2018012531.tif 000006
【図５】
2018012531.tif 000007
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
電力によって駆動する第１駆動部と、
第１レンズを保持し、前記第１駆動部によって光軸方向に移動する第１レンズ保持枠と、
電力によって駆動する第２駆動部と、
第２レンズを保持し、前記第２駆動部によって光軸方向に移動する第２レンズ保持枠と、を備え、
前記第１レンズ保持枠は、前記第２レンズ保持枠の内周側に配置されるレンズ鏡筒。
【請求項２】
前記第１レンズ保持枠と前記第２レンズ保持枠との位置関係を検出する第１検出部を備える
請求項１に記載のレンズ鏡筒。
【請求項３】
前記第１検出部は、被検出部を含み、
前記被検出部は、前記第２レンズ保持枠と係合する第１係合部に沿って前記第１レンズ保持枠に保持される
請求項２に記載のレンズ鏡筒。
【請求項４】
前記第１駆動部又は前記第２駆動部を保持する筒と、
前記第２レンズ保持枠と前記筒との位置関係を検出する第２検出部と、を備える
請求項１から請求項３の何れか一項に記載のレンズ鏡筒。
【請求項５】
前記第１レンズ保持枠に挿入されるガイドバーを備える
請求項１に記載のレンズ鏡筒。
【請求項６】
前記第１レンズ保持枠は、前記第２レンズ保持枠と係合する第１係合部と前記ガイドバーが挿入される第１穴部とを有し、
前記第１係合部の光軸方向の長さは、前記第１穴部の光軸方向の長さより長い
請求項５に記載のレンズ鏡筒。
【請求項７】
前記第１駆動部又は前記第２駆動部を保持する筒を備え、
前記第２レンズ保持枠は、前記筒と係合する第２係合部を有する
請求項５又は請求項６に記載のレンズ鏡筒。
【請求項８】
前記第２レンズ保持枠に挿入されるガイドバーを備え、
前記第２レンズ保持枠は、前記ガイドバーが挿入される第２穴部を有し、
前記第２係合部の光軸方向の長さは、前記第２穴部の光軸方向の長さより長い
請求項７に記載のレンズ鏡筒。
【請求項９】
請求項１から請求項８の何れか一項に記載のレンズ鏡筒を備える撮像装置。
【国際調査報告】
2018012531.tif 000008
2018012531.tif 000009
2018012531.tif 000010
2018012531.tif 000011